(57)【要約】【課題】無線基地局ｅＮＢに対して所望の測定項目を指定する際に使用するネットワークリソース及び運用上の設定を低減する。【解決手段】本発明に係る移動通信方法は、無線基地局ｅＮＢが、移動局ＵＥに対して、「ＴＲＡＣＥ  ＳＴＡＲＴ」に含まれている「ＭＤＴ  ｍｅａｓｕｒｅｍｅｎｔ  ｐｕｒｐｏｓｅに対応する「Ｍｅａｓｕｒｅｍｅｎｔ  Ｃｏｎｆｉｇｕｒａｔｉｏｎ」を送信する工程と、移動局ＵＥが、「Ｍｅａｓｕｒｅｍｅｎｔ  Ｃｏｎｆｉｇｕｒａｔｉｏｎ」に含まれる「Ｍｅａｓｕｒｅｍｅｎｔ  Ｃｏｎｆｉｇｕｒａｔｉｏｎ」によって指定されている測定項目についての測定を行い、無線基地局ｅＮＢに対して、かかる測定結果を報告する工程とを有する。【選択図】図２
2012010301.tif 000002
【特許請求の範囲】
【請求項１】
移動管理ノードが、無線基地局に対して、測定目的を示す測定目的情報を含む測定開始情報を送信する工程と、
前記無線基地局が、前記移動局に対して、前記測定開始情報に含まれている前記測定目的情報に対応する測定設定情報を送信する工程と、
前記移動局が、前記測定設定情報に含まれる前記測定設定情報によって指定されている測定項目についての測定を行い、前記無線基地局に対して、該測定結果を報告する工程とを有することを特徴とする移動通信方法。
【請求項２】
前記移動管理ノードが、前記無線基地局に対して、測定停止信号を送信する工程と、
前記無線基地局が、前記測定停止信号に応じて、前記移動局に対して、前記測定目的情報に対応する前記測定設定情報の送信を停止する工程とを有することを特徴とする請求項１に記載の移動通信方法。
【請求項３】
移動管理ノードから、測定目的を示す測定目的情報を含む測定開始情報を受信した場合に、移動局に対して、該測定開始情報に含まれている該測定目的情報に対応する測定設定情報を送信するように構成されていることを特徴とする無線基地局。
【請求項４】
前記移動管理ノードから、測定停止信号を受信すると、前記移動局に対して、前記測定目的情報に対応する前記測定設定情報の送信を停止するように構成されていることを特徴とする請求項３に記載の無線基地局。
【発明の詳細な説明】
【技術分野】
【０００１】
本発明は、移動通信方法及び無線基地局に関する。
【背景技術】
【０００２】
３ＧＰＰでは、特定の移動局ＵＥに所望の測定項目についての測定を行わせて報告させる「ＭＤＴ（Ｍｉｎｉｍｉｓａｔｉｏｎ  ｏｆ  Ｄｒｉｖｅ  Ｔｅｓｔｓ）」という手法が議論されている。
【０００３】
ＭＤＴでは、無線基地局ｅＮＢが、移動局ＵＥに対して、「Ｍｅａｓｕｒｅｍｅｎｔ  Ｃｏｎｆｉｇｕｒａｔｉｏｎ」を用いて、Ｏ＆Ｍ（Ｏｐｅｒａｔｉｏｎ  ＆  Ｍａｉｎｔｅｎａｎｃｅ）サーバ及び移動管理ノードＭＭＥ（Ｍｏｂｉｌｉｔｙ  Ｍａｎａｇｅｍｅｎｔ  Ｅｎｔｉｔｙ）から指定された所望の測定項目を通知するように構成されている。
【先行技術文献】
【非特許文献】
【０００４】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００５】
しかしながら、かかる移動通信システムにおいて、特定の移動局ＵＥに対して、同一のＭＤＴ測定を繰り返し行わせる場合であっても、Ｏ＆Ｍサーバ及び移動管理ノードＭＭＥは、毎回、無線基地局ｅＮＢに対して、同一の測定項目を指定しなければならず、ネットワークリソースを無駄に使用するという問題点があった。
【０００６】
一方で、無線基地局ｅＮＢに対して、事前に測定項目を設定しておくことも考えられるが、移動局ＵＥ毎に測定項目を変えたい場合、事前設定を行わなければならず、さらに、複数の移動局ＵＥに、同じ無線基地局ｅＮＢで、異なる測定項目の測定を行わせようとした場合、かかる移動局ＵＥは、同時には、かかる測定を行うことできず、時間を変えて測定しなければならない問題点があった。
【０００７】
そこで、本発明は、上述の課題に鑑みてなされたものであり、無線基地局ｅＮＢに対して所望の測定項目を指定する際に使用するネットワークリソース及び運用上の設定を低減することができる移動通信方法及び無線基地局を提供することを目的とする。
【課題を解決するための手段】
【０００８】
本発明の第１の特徴は、移動通信方法であって、移動管理ノードが、無線基地局に対して、測定目的を示す測定目的情報を含む測定開始情報を送信する工程と、前記無線基地局が、前記移動局に対して、前記測定開始情報に含まれている前記測定目的情報に対応する測定設定情報を送信する工程と、前記移動局が、前記測定設定情報に含まれる前記測定設定情報によって指定されている測定項目についての測定を行い、前記無線基地局に対して、該測定結果を報告する工程とを有することを要旨とする。
【０００９】
本発明の第２の特徴は、無線基地局であって、移動管理ノードから、測定目的を示す測定目的情報を含む測定開始情報を受信した場合に、移動局に対して、該測定開始情報に含まれている該測定目的情報に対応する測定設定情報を送信するように構成されていることを要旨とする。
【発明の効果】
【００１０】
以上説明したように、本発明によれば、無線基地局ｅＮＢに対して所望の測定項目を指定する際に使用するネットワークリソース及び運用上の設定を低減することができる移動通信方法及び無線基地局を提供することができる。
【図面の簡単な説明】
【００１１】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムで用いられる「ＴＲＡＣＥ  ＳＴＡＲＴ」内の情報要素「Ｔｒａｃｅ  Ａｃｔｉｖａｔｉｏｎ」のフォーマットの一例を示す図である。
【図４】本発明の第２の実施形態に係る移動通信システムの動作を示すシーケンス図である。
【図５】本発明の第２の実施形態に係る移動通信システムで用いられる「ＴＲＡＣＥ  ＳＴＡＲＴ」内の情報要素「Ｔｒａｃｅ  Ａｃｔｉｖａｔｉｏｎ」のフォーマットの一例を示す図である。
【発明を実施するための形態】
【００１２】
（本発明の第１の実施形態に係る移動通信システム）
図１乃至図３を参照して、本発明の第１の実施形態に係る移動通信システムについて説明する。
【００１３】
図１に示すように、本実施形態に係る移動通信システムは、ＬＴＥ方式の移動通信システムであって、Ｏ＆Ｍサーバや、移動管理ノードＭＭＥや、測定結果管理サーバＴＣＥ（Ｔｒａｃｅ  Ｃｏｌｌｅｃｔｉｏｎ  Ｅｎｔｉｔｙ）や、無線基地局ｅＮＢ等を具備している。
【００１４】
以下、図２及び図３を参照して、本実施形態に係る移動通信システムの動作について説明する。
【００１５】
図２に示すように、Ｏ＆Ｍサーバは、移動局ＵＥに「Ｃｏｖｅｒａｇｅ  Ｍａｐｐｉｎｇ」用のＭＤＴ測定を行わせることを決定すると、移動管理ノードＭＭＥに対して、その旨を通知し、ステップＳ１００１において、移動管理ノードＭＭＥは、無線基地局ｅＮＢに対して、図３に示す情報要素「Ｔｒａｃｅ  Ａｃｔｉｖａｔｉｏｎ」を含む「ＴＲＡＣＥ  ＳＴＡＲＴ」を送信する。
【００１６】
ここで、図３に示すように、情報要素「Ｔｒａｃｅ  Ａｃｔｉｖａｔｉｏｎ」内の情報要素「ＭＤＴ  ｍｅａｓｕｒｅｍｅｎｔ  ｐｕｒｐｏｓｅ」に「Ｃｏｖｅｒａｇｅ  Ｍａｐｐｉｎｇ」が設定される。
【００１７】
なお、かかる情報要素「ＭＤＴ  ｍｅａｓｕｒｅｍｅｎｔ  ｐｕｒｐｏｓｅ」には、「Ｃｏｖｅｒａｇｅ  Ｍａｐｐｉｎｇ」以外に、例えば、「ＣｏｖｅｒａｇｅＨｏｌｅＤｅｔｅｃｔｉｏｎ」や「ＴｈｒｏｕｇｈｐｕｔＭｅａｓｕｒｅｍｅｎｔ」等が設定可能である。
【００１８】
「Ｃｏｖｅｒａｇｅ  Ｍａｐｐｉｎｇ」用のＭＤＴ測定は、移動通信システムのカバーエリアを把握するために行われる測定であり、「ＣｏｖｅｒａｇｅＨｏｌｅＤｅｔｅｃｔｉｏｎ」用のＭＤＴ測定は、移動通信システムのカバーエリア内の通信不能エリアを検出するために行われる測定であり、「ＴｈｒｏｕｇｈｐｕｔＭｅａｓｕｒｅｍｅｎｔ」は、測定対象エリアにおけるスループットを測定するために行われる測定である。
【００１９】
ステップＳ１００２において、無線基地局ｅＮＢは、移動局ＵＥに対して、受信した「ＴＲＡＣＥ  ＳＴＡＲＴ」内に含まれている「ＭＤＴ  ｍｅａｓｕｒｅｍｅｎｔ  ｐｕｒｐｏｓｅ」に設定されている「Ｃｏｖｅｒａｇｅ  Ｍａｐｐｉｎｇ」に対応する「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００２０】
ここで、無線基地局ｅＮＢは、「ＭＤＴ  ｍｅａｓｕｒｅｍｅｎｔ  ｐｕｒｐｏｓｅ」に設定され得る測定目的の各々に対して１つ又は複数の測定項目を関連付けて管理している。
【００２１】
例えば、測定項目としては、「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＱ  （Ｒｅｆｅｒｅｎｃｅ  Ｓｉｇｎａｌ  Ｒｅｃｅｉｖｅｄ  Ｑｕａｌｉｔｙ）」や「ＰＨ（Ｐｏｗｅｒ  Ｈｅａｄｒｏｏｍ）」等が想定される。
【００２２】
したがって、無線基地局ｅＮＢは、受信した「ＴＲＡＣＥ  ＳＴＡＲＴ」内に含まれている「ＭＤＴ  ｍｅａｓｕｒｅｍｅｎｔ  ｐｕｒｐｏｓｅ」に設定されている「Ｃｏｖｅｒａｇｅ  Ｍａｐｐｉｎｇ」に関連付けられている測定項目を含む「Ｍｅａｓｕｒｅｍｅｎｔ  Ｃｏｎｆｉｇｕｒａｔｉｏｎ」を生成し、移動局ＵＥに対して、かかる「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００２３】
ステップＳ１００３において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００２４】
ステップＳ１００４において、移動局ＵＥは、受信した「ＲＲＣ  Ｃｏｎｎｅｃｔｉｏｎ  Ｒｅｃｏｎｆｉｇｕｒａｔｉｏｎ」内に含まれている「Ｍｅａｓｕｒｅｍｅｎｔ  Ｃｏｎｆｉｇｕｒａｔｉｏｎ」によって指定されている測定項目についての測定及び報告を開始する。
【００２５】
その後、Ｏ＆Ｍサーバは、移動局ＵＥによって行われている「Ｃｏｖｅｒａｇｅ  Ｍａｐｐｉｎｇ」用のＭＤＴ測定を中止させることを決定すると、移動管理ノードＭＭＥに対して、その旨を通知し、ステップＳ１００５において、移動管理ノードＭＭＥが、無線基地局ｅＮＢに対して、「ＤＥＡＣＴＩＶＡＴＥ  ＴＲＡＣＥ」を送信する。
【００２６】
ステップＳ１００６において、無線基地局ｅＮＢは、「ＤＥＡＣＴＩＶＡＴＥ  ＴＲＡＣＥ」を受信すると、「Ｃｏｖｅｒａｇｅ  Ｍａｐｐｉｎｇ」用のＭＤＴ測定を中止するように指示する「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」、すなわち、「Ｃｏｖｅｒａｇｅ  Ｍａｐｐｉｎｇ」にのみ関連付けられている測定項目を削除するように指示する「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」送信する。
【００２７】
ステップＳ１００７において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００２８】
ステップＳ１００８において、無線基地局ｅＮＢは、測定結果管理サーバＴＣＥに対して、移動局ＵＥから報告されていたＭＤＴ測定結果を報告する。
【００２９】
本実施形態に係る移動通信システムによれば、移動管理ノードＭＭＥは、無線基地局ｅＮＢに対して、所望の測定項目の各々を指定する代わりに、「ＭＤＴ  ｍｅａｓｕｒｅｍｅｎｔ  ｐｕｒｐｏｓｅ」を用いて測定目的を指定することができるため、特定の移動局ＵＥに対して、同一のＭＤＴ測定を繰り返し行わせる場合に、ネットワークリソースを無駄に使用するという事態を回避することができる。
（本発明の第２の実施形態に係る移動通信システム）
以下、図４及び図５を参照して、本発明の第２の実施形態に係る移動通信システムについて、上述の第１の実施形態に係る移動通信システムとの相違点に着目して説明する。
【００３０】
図４に示すように、Ｏ＆Ｍサーバは、移動局ＵＥに「Ｃｏｖｅｒａｇｅ  Ｍａｐｐｉｎｇ」用のＭＤＴ測定を行わせることを決定すると、移動管理ノードＭＭＥに対して、その旨を通知し、ステップＳ２００１において、移動管理ノードＭＭＥは、無線基地局ｅＮＢに対して、図５に示す情報要素「Ｔｒａｃｅ  Ａｃｔｉｖａｔｉｏｎ」を含む「ＴＲＡＣＥ  ＳＴＡＲＴ」を送信する。
【００３１】
ここで、図５に示すように、情報要素「Ｔｒａｃｅ  Ａｃｔｉｖａｔｉｏｎ」内の情報要素「ＭＤＴ  ｍｅａｓｕｒｅｍｅｎｔ  ＩＤ」に「１」が設定される。
【００３２】
なお、例えば、かかる情報要素「ＭＤＴ  ｍｅａｓｕｒｅｍｅｎｔ  ＩＤ」に設定されている「１」は、「Ｃｏｖｅｒａｇｅ  Ｍａｐｐｉｎｇ」に対応し、かかる情報要素「ＭＤＴ  ｍｅａｓｕｒｅｍｅｎｔ  ＩＤ」に設定されている「２」は、「ＣｏｖｅｒａｇｅＨｏｌｅＤｅｔｅｃｔｉｏｎ」に対応し、かかる情報要素「ＭＤＴ  ｍｅａｓｕｒｅｍｅｎｔ  ＩＤ」に設定されている「３」は、「ＴｈｒｏｕｇｈｐｕｔＭｅａｓｕｒｅｍｅｎｔ」に対応する。
【００３３】
すなわち、移動管理ノードＭＭＥ及び無線基地局ｅＮＢには、「ＭＤＴ  ｍｅａｓｕｒｅｍｅｎｔ  ＩＤ」に設定されている値が意味する測定目的が事前に設定されている。
【００３４】
ステップＳ２００２において、無線基地局ｅＮＢは、移動局ＵＥに対して、受信した「ＴＲＡＣＥ  ＳＴＡＲＴ」内に含まれている「ＭＤＴ  ｍｅａｓｕｒｅｍｅｎｔ  ＩＤ」に設定されている「１」に対応する「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００３５】
ここで、無線基地局ｅＮＢは、「ＭＤＴ  ｍｅａｓｕｒｅｍｅｎｔ  ＩＤ」に設定され得る値の各々に対して１つ又は複数の測定項目を関連付けて管理している。
【００３６】
したがって、無線基地局ｅＮＢは、受信した「ＴＲＡＣＥ  ＳＴＡＲＴ」内に含まれている「ＭＤＴ  ｍｅａｓｕｒｅｍｅｎｔ  ＩＤ」に設定されている「１」に関連付けられている測定項目を含む「Ｍｅａｓｕｒｅｍｅｎｔ  Ｃｏｎｆｉｇｕｒａｔｉｏｎ」を生成し、移動局ＵＥに対して、かかる「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信する。
【００３７】
以下、ステップＳ２００３乃至Ｓ２００８の動作は、図２に示すステップＳ１００３乃至Ｓ１００８の動作と同一である。
【００３８】
なお、上述の情報要素「Ｔｒａｃｅ  Ａｃｔｉｖａｔｉｏｎ」は、「ＴＲＡＣＥ  ＳＴＡＲＴ」だけでなく、「Ｉｎｉｔｉａｌ  Ｃｏｎｔｅｘｔ  Ｓｅｔｕｐ  Ｒｅｑｕｅｓｔ」や「Ｈａｎｄｏｖｅｒ  Ｒｅｑｕｅｓｔ」等によっても送信され得る。
【００３９】
したがって、本発明は、移動管理ノードＭＭＥが、無線基地局ｅＮＢに対して、「Ｉｎｉｔｉａｌ  Ｃｏｎｔｅｘｔ  Ｓｅｔｕｐ  Ｒｅｑｕｅｓｔ」や「Ｈａｎｄｏｖｅｒ  Ｒｅｑｕｅｓｔ」等を送信するケースにも適用可能である。
【００４０】
以上に述べた本実施形態の特徴は、以下のように表現されていてもよい。
【００４１】
本実施形態の第１の特徴は、移動通信方法であって、移動管理ノードＭＭＥが、無線基地局ｅＮＢに対して、「ＭＤＴ  ｍｅａｓｕｒｅｍｅｎｔ  ｐｕｒｐｏｓｅ（測定目的を示す測定目的情報）」を含む「Ｔｒａｃｅ  Ａｃｔｉｖａｔｉｏｎ（測定開始情報）」を送信する工程と、無線基地局ｅＮＢが、移動局ＵＥに対して、「Ｔｒａｃｅ  Ａｃｔｉｖａｔｉｏｎ」に含まれている「ＭＤＴ  ｍｅａｓｕｒｅｍｅｎｔ  ｐｕｒｐｏｓｅ」に対応する「Ｍｅａｓｕｒｅｍｅｎｔ  Ｃｏｎｆｉｇｕｒａｔｉｏｎ（測定設定情報）」を送信する工程と、移動局ＵＥが、「Ｍｅａｓｕｒｅｍｅｎｔ  Ｃｏｎｆｉｇｕｒａｔｉｏｎ」によって指定されている測定項目についての測定を行い、無線基地局ｅＮＢに対して、かかる測定結果を報告する工程とを有することを要旨とする。
【００４２】
本実施形態の第１の特徴において、移動管理ノードＭＭＥが、無線基地局ｅＮＢに対して、「ＤＥＡＣＴＩＶＡＴＥ  ＴＲＡＣＥ（測定停止信号）」を送信する工程と、無線基地局ｅＮＢが、「ＤＥＡＣＴＩＶＡＴＥ  ＴＲＡＣＥ」に応じて、移動局ＵＥに対して、「ＭＤＴ  ｍｅａｓｕｒｅｍｅｎｔ  ｐｕｒｐｏｓｅ」に対応する「Ｍｅａｓｕｒｅｍｅｎｔ  Ｃｏｎｆｉｇｕｒａｔｉｏｎ」の送信を停止する工程とを有してもよい。
【００４３】
本実施形態の第２の特徴は、無線基地局ｅＮＢであって、移動管理ノードＭＭＥから、「ＭＤＴ  ｍｅａｓｕｒｅｍｅｎｔ  ｐｕｒｐｏｓｅ」を含む「Ｔｒａｃｅ  Ａｃｔｉｖａｔｉｏｎ」を受信した場合に、移動局ＵＥに対して、「Ｔｒａｃｅ  Ａｃｔｉｖａｔｉｏｎ」に含まれている「ＭＤＴ  ｍｅａｓｕｒｅｍｅｎｔ  ｐｕｒｐｏｓｅ」に対応する「Ｍｅａｓｕｒｅｍｅｎｔ  Ｃｏｎｆｉｇｕｒａｔｉｏｎ」を送信するように構成されていることを要旨とする。
【００４４】
本実施形態の第２の特徴において、移動理ノードＭＭＥから、「ＤＥＡＣＴＩＶＡＴＥ  ＴＲＡＣＥ」を受信すると、移動局ＵＥに対して、上述の「ＭＤＴ  ｍｅａｓｕｒｅｍｅｎｔ  ｐｕｒｐｏｓｅ」に対応する「Ｍｅａｓｕｒｅｍｅｎｔ  Ｃｏｎｆｉｇｕｒａｔｉｏｎ」の送信を停止するように構成されていてもよい。
【００４５】
なお、上述のＯ＆Ｍサーバや測定結果管理サーバＴＣＥや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｏ＆Ｍサーバや測定結果管理サーバＴＣＥや移動管理ノードＭＭＥや無線基地局ｅＮＢや移動局ＵＥ内に設けられていてもよい。また、かかる記憶媒体及びプロセッサは、ディスクリートコンポーネントとしてＯ＆Ｍサーバや測定結果管理サーバＴＣＥや移動管理ノードＭＭＥや無線基地局ｅＮＢや移動局ＵＥ内に設けられていてもよい。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４９】
ＵＥ…移動局
ｅＮＢ…無線基地局
ＭＭＥ…移動管理ノード
【図１】
2012010301.tif 000003
【図２】
2012010301.tif 000004
【図３】
2012010301.tif 000005
【図４】
2012010301.tif 000006
【図５】
2012010301.tif 000007